(57)【要約】【課題】  同時に複数の記録媒体に録画することができる録画装置を提供する。【解決手段】  入力部６は録画部２，４のそれぞれに対応して設けられる選択部６Ａ，６Ｂを含む。選択部６Ａ，６Ｂの各々には映像音声信号ＳＶ１〜ＳＶ３が入力される。選択部６Ａは信号ＳＬ１に応じて映像音声信号ＳＶ１〜ＳＶ３の中から出力する映像音声信号ＳＩＧ１を選択する。選択部６Ｂは信号ＳＬ２に応じて映像音声信号ＳＶ１〜ＳＶ３の中から出力する映像音声信号ＳＩＧ２を選択する。録画部２，４は映像音声信号の送信元を複数の信号出力装置の中から個別に選択できるので、録画装置１は同時に異なる信号出力装置からの映像音声信号を同時に録画することができる。【選択図】        図１
2006324901.tif 000002
【特許請求の範囲】
【請求項１】
録画装置であって、
複数の信号出力装置の中から選択した信号出力装置からの映像音声信号をビデオカセットおよびＤＶＤ（Ｄｉｇｉｔａｌ  Ｖｅｒｓａｔｉｌｅ  Ｄｉｓｃ）にそれぞれ記録する第１および第２の録画部と、
前記複数の信号出力装置の１つであるチューナとを備え、
前記第１および第２の録画部の各々は、
前記選択した信号出力装置を示す選択信号を出力し、かつ、前記チューナの選局を制御可能であり、
録画予約の設定時には、前記選択した信号出力装置と前記映像音声信号の記録を行なう時間帯とを示す予約設定情報を作成して内部に記憶するとともに自己以外の録画部に前記予約設定情報を送信し、
前記自己以外の録画部から受信した前記予約設定情報を内部に記憶し、
録画開始時には、前記自己以外の録画部から受信した前記予約設定情報を参照し、自己の前記選択した信号出力装置と前記自己以外の録画部の前記選択した信号出力装置とがともに前記チューナであり、かつ、前記自己以外の録画部が前記チューナから送信される前記映像音声信号を記録する時間帯に自己の録画開始時刻が含まれる場合には、前記チューナの選局を行なわず、
前記録画装置は、
前記映像音声信号を前記第１および第２の録画部に各々出力するため、前記複数の信号出力装置からそれぞれ送られる複数の情報信号を受ける入力部をさらに備え、
前記入力部は、
前記第１および第２の録画部に対応してそれぞれ設けられ、対応する録画部から受ける前記選択信号に応じて前記複数の情報信号の中から前記映像音声信号を選択する第１および第２の選択部を含む、録画装置。
【請求項２】
複数の信号出力装置の中から選択した信号出力装置を示す選択信号を各々が出力し、前記選択した信号出力装置からの映像音声信号を記録する複数の録画部と、
前記映像音声信号を前記複数の録画部ごとに出力するため、前記複数の信号出力装置からそれぞれ送られる複数の情報信号を受ける入力部とを備え、
前記入力部は、
前記複数の録画部に対応してそれぞれ設けられ、対応する録画部から受ける前記選択信号に応じて前記複数の情報信号の中から前記映像音声信号を選択する複数の選択部を含む、録画装置。
【請求項３】
前記録画装置は、前記複数の信号出力装置のうちの１つであるチューナをさらに備え、
前記複数の録画部の各々は、前記チューナの選局を制御可能であり、
録画予約の設定時には、前記選択した信号出力装置と前記映像音声信号の記録を行なう時間帯とを示す予約設定情報を作成して内部に記憶するとともに自己以外の録画部に前記予約設定情報を送信し、
前記自己以外の録画部から受信した前記予約設定情報を内部に記憶し、
録画開始時には、前記自己以外の録画部から受信した前記予約設定情報を参照し、自己の前記選択した信号出力装置と前記自己以外の録画部の前記選択した信号出力装置とがともに前記チューナであり、かつ、前記自己以外の録画部が前記チューナから送信される前記映像音声信号を記録する時間帯に自己の録画開始時刻が含まれる場合には、前記チューナの選局を行なわない、請求項２に記載の録画装置。
【請求項４】
前記複数の録画部は、
ビデオカセットに前記映像音声信号を記録する第１の録画部と、
ＤＶＤ（Ｄｉｇｉｔａｌ  Ｖｅｒｓａｔｉｌｅ  Ｄｉｓｃ）に前記映像音声信号を記録する第２の録画部とを含む、請求項３に記載の録画装置。
【発明の詳細な説明】
【技術分野】
【０００１】
本発明は録画装置に関し、特に、複数の異なる記録媒体に録画することが可能な録画装置に関する。
【背景技術】
【０００２】
近年、たとえばビデオテープとＤＶＤ(Ｄｉｇｉｔａｌ  Ｖｅｒｓａｔｉｌｅ  Ｄｉｓｃ)といった、異なる複数の記録媒体に画像を記録する複数の録画部を備えた複合型録画装置が普及しつつある。
【０００３】
図５は、従来の複合型録画装置の構成の一例を示すブロック図である。図５を参照して、録画装置１００は録画部１０２，１０４、入力部１０６、チューナ１０８、出力切換部１１０を備える。
【０００４】
録画部１０２，１０４の各々は複数の信号出力装置（チューナ１０８、外部機器１１２，１１４）のうち、選択した信号出力装置から送られる映像音声信号を記録媒体に記録する。たとえば録画部１０２はビデオカセットに映像音声信号を記録し、録画部１０４はＤＶＤに映像音声信号を記録する。
【０００５】
チューナ１０８は地上アナログ放送を受信する。外部機器１１２あるいは外部機器１１４は、たとえば図示されない衛星アンテナが受信したデジタル放送信号の中から所望のチャネルを選局し、選局したチャネルの番組の映像音声信号を録画装置１００に伝送するＳＴＢ（Ｓｅｔ  Ｔｏｐ  Ｂｏｘ：セットトップボックス）である。信号ＳＶ１〜ＳＶ３はチューナ１０８，外部機器１１２，１１４からそれぞれ送られる映像音声信号を示す。
【０００６】
信号ＳＶ１〜ＳＶ３は一旦、入力部１０６に入力される。録画部１０２，１０４の各々は複数の信号出力装置の中から映像音声信号の送信元を選択するための信号ＳＬを入力部１０６に送る。入力部１０６は信号ＳＬにより選択された信号出力装置から送られる映像音声信号ＳＩＧ１を出力する。映像音声信号ＳＩＧ１は録画部１０２，１０４の両方に送られる。出力切換部１１０は、テレビジョン受像機等の図示されない再生装置に送信する映像音声信号ＳＩＧ２を録画部１０２から出力するか、録画部１０４から出力するかを切換える。
【０００７】
複数の信号出力装置から情報を受信する従来の装置として、たとえば特開２００４−２４１９６６号公報（特許文献１）では、発生源が異なる複数のデジタル信号に対して同時に非多重化処理を行ない、異なる出力信号としてＡＶネットワークに出力することによってＡＶネットワークが持つ機能を有効に利用できるＡＶネットワークデジタル受信機が開示される。
【０００８】
また、特開２００４−１７９８５６号公報（特許文献２）では、Ｓ／コンポジット入力端子およびＤ／コンポーネント入力端子とをともに備えるアナログインターフェースにおいてどちらの端子を介して入力信号が入力されているかが制御部により識別され、その結果を外部機器に通知するデジタルテレビジョン受像機、データ処理方法、およびデータ伝送方法が開示される。
【０００９】
また、特開２００１−１２７７６８号公報（特許文献３）では、リソース要求に対するリソースの不足およびその理由を調査し、調査結果に基づいてアナログ接続の利用等の対策を施すことでリソースを十分に活用することができるネットワークリソース管理装置が開示される。
【特許文献１】特開２００４−２４１９６６号公報
【特許文献２】特開２００４−１７９８５６号公報
【特許文献３】特開２００１−１２７７６８号公報
【発明の開示】
【発明が解決しようとする課題】
【００１０】
図５に示すように、録画部１０２，１０４は単数の入力部１０６を共用している。もし録画部１０２が録画を行なっている際中に録画部１０４が信号ＳＬを入力部１０６に送ると、たとえば録画部１０２が録画している途中で録画内容が変更されるという問題が生じ得る。このような問題が生じるのを防ぐため、従来の録画装置では一方の録画部が録画する際に他方の録画部に信号ＳＬを送信しないよう指示するための制御信号を送信していた。よって従来の複合型録画装置では、たとえばユーザが地上アナログ放送と衛星デジタル放送とを同時に録画したいと思っていても実際にはどちらか一方しか録画できないため不便を感じていた。
【００１１】
本発明の目的は、同時に複数の記録媒体に録画することができる録画装置を提供することである。
【課題を解決するための手段】
【００１２】
本発明は要約すれば、録画装置であって、複数の信号出力装置の中から選択した信号出力装置からの映像音声信号をビデオカセットおよびＤＶＤ（Ｄｉｇｉｔａｌ  Ｖｅｒｓａｔｉｌｅ  Ｄｉｓｃ）にそれぞれ記録する第１および第２の録画部と、複数の信号出力装置の１つであるチューナとを備える。第１および第２の録画部の各々は、選択した信号出力装置を示す選択信号を出力し、かつ、チューナの選局を制御可能である。第１および第２の録画部の各々は、録画予約の設定時には、選択した信号出力装置と映像音声信号の記録を行なう時間帯とを示す予約設定情報を作成して内部に記憶するとともに自己以外の録画部に予約設定情報を送信し、自己以外の録画部から受信した予約設定情報を内部に記憶する。第１および第２の録画部の各々は、録画開始時には、自己以外の録画部から受信した予約設定情報を参照し、自己の選択した信号出力装置と自己以外の録画部の選択した信号出力装置とがともにチューナであり、かつ、自己以外の録画部がチューナから送信される映像音声信号を記録する時間帯に自己の録画開始時刻が含まれる場合には、チューナの選局を行なわない。録画装置は、映像音声信号を第１および第２の録画部に各々出力するため、複数の信号出力装置からそれぞれ送られる複数の情報信号を受ける入力部をさらに備える。入力部は、第１および第２の録画部に対応してそれぞれ設けられ、対応する録画部から受ける選択信号に応じて複数の情報信号の中から映像音声信号を選択する第１および第２の選択部を含む。
【００１３】
本発明の他の局面に従うと、録画装置であって、複数の信号出力装置の中から選択した信号出力装置を示す選択信号を各々が出力し、選択した信号出力装置からの映像音声信号を記録する複数の録画部と、映像音声信号を複数の録画部ごとに出力するため、複数の信号出力装置からそれぞれ送られる複数の情報信号を受ける入力部とを備える。入力部は、複数の録画部に対応してそれぞれ設けられ、対応する録画部から受ける選択信号に応じて複数の情報信号の中から映像音声信号を選択する複数の選択部を含む。
【００１４】
好ましくは、録画装置は、複数の信号出力装置のうちの１つであるチューナをさらに備える。複数の録画部の各々は、チューナの選局を制御可能であり、録画予約の設定時には、選択した信号出力装置と映像音声信号の記録を行なう時間帯とを示す予約設定情報を作成して内部に記憶するとともに自己以外の録画部に予約設定情報を送信し、自己以外の録画部から受信した予約設定情報を内部に記憶する。複数の録画部の各々は、録画開始時には、自己以外の録画部から受信した予約設定情報を参照し、自己の選択した信号出力装置と自己以外の録画部の選択した信号出力装置とがともにチューナであり、かつ、自己以外の録画部がチューナから送信される映像音声信号を記録する時間帯に自己の録画開始時刻が含まれる場合には、チューナの選局を行なわない。
【００１５】
より好ましくは、複数の録画部は、ビデオカセットに映像音声信号を記録する第１の録画部と、ＤＶＤ（Ｄｉｇｉｔａｌ  Ｖｅｒｓａｔｉｌｅ  Ｄｉｓｃ）に映像音声信号を記録する第２の録画部とを含む。
【発明の効果】
【００１６】
本発明の録画装置によれば、複数の録画部に対応してそれぞれ設けられ、複数の信号出力装置の中から選択した信号出力装置によって送られる映像音声信号を出力する複数の選択部を備えることにより、複数の録画部が同時に録画できる。
【発明を実施するための最良の形態】
【００１７】
以下において、本発明の実施の形態について図面を参照して詳しく説明する。なお、図中同一符号は同一または相当部分を示す。
【００１８】
図１は、本発明の録画装置の構成の一例を示すブロック図である。図１を参照して、録画装置１は、録画部２，４、入力部６、チューナ８、出力切換部１０を備える。
【００１９】
録画装置１は異なる記録媒体に録画することができる複合型録画装置である。録画部２，４は複数の信号出力装置（チューナ８，外部機器１２，１４）のいずれかから送られる映像音声信号を記録媒体に記録する。録画部２，４に用いられる記録媒体はたとえばビデオカセットやＤＶＤやハードディスクなどである。ただし記録媒体の種類は互いに同じでもあってもよい。また録画部は３つ以上あってもよいが、以下では録画部の数は２であるとして説明する。
【００２０】
チューナ８はたとえば地上アナログ放送用チューナである。録画装置１の入力端子Ｔ１，Ｔ２には外部機器１２，１４がそれぞれ接続される。外部機器１２あるいは外部機器１４は、たとえば図示されない衛星アンテナが受信したデジタル放送信号の中から所望のチャネルを選局し、選局したチャネルの番組の映像音声信号を録画装置１に伝送するＳＴＢである。映像音声信号ＳＶ１〜ＳＶ３はチューナ８，外部機器１２，１４からそれぞれ送られる映像音声信号（情報信号）を示す。
【００２１】
映像音声信号ＳＶ１〜ＳＶ３は一旦、入力部６に入力される。録画部２は複数の信号出力装置の中から選択した信号出力装置を示す信号ＳＬ１を送る。入力部６は信号ＳＬ１に応じ、映像音声信号ＳＶ１〜ＳＶ３の中から選択した映像音声信号ＳＩＧ１を録画部２に対して出力する。同様に、録画部４は複数の信号出力装置の中から選択した信号出力装置を示す信号ＳＬ２を送る。入力部６は信号ＳＬ２に応じ、映像音声信号ＳＶ１〜ＳＶ３の中から選択した映像音声信号ＳＩＧ２を録画部４に対して出力する。
【００２２】
入力部６は録画部２，４のそれぞれに対応して設けられる選択部６Ａ，６Ｂを含む。選択部６Ａ，６Ｂの各々には映像音声信号ＳＶ１〜ＳＶ３が入力される。選択部６Ａは信号ＳＬ１に応じて映像音声信号ＳＶ１〜ＳＶ３の中から出力する映像音声信号ＳＩＧ１を選択する。選択部６Ｂは信号ＳＬ２に応じて映像音声信号ＳＶ１〜ＳＶ３の中から出力する映像音声信号ＳＩＧ２を選択する。録画部２，４は映像音声信号の送信元を複数の信号出力装置の中から個別に選択できるので、録画装置１は同時に異なる信号出力装置からの映像音声信号を同時に録画することができる。
【００２３】
なお、録画部２，４はユーザのキー操作によってリモコン（図示せず）から送信される入力切換指示を受け、信号ＳＬ１，ＳＬ２をそれぞれ出力する。
【００２４】
録画部２，４の各々は再生時には記録媒体から映像音声信号を読み出して出力する。録画部２，４は出力切換部１０に対して信号ＯＴ１，ＯＴ２をそれぞれ出力する。出力切換部１０は信号ＯＴ１を受けると録画部２から出力される映像音声信号ＳＩＧ１を再生装置１６に送る。同様に出力切換部１０は信号ＯＴ２を受けると録画部４から出力される映像音声信号ＳＩＧ２を再生装置１６に送る。再生装置１６はたとえばテレビジョン受像機である。
【００２５】
本発明の録画装置ではチューナ８から送られる映像音声信号ＳＶ１を録画部２が記録媒体に記録し、同時に録画部４が外部機器１２から送られる映像音声信号ＳＶ２を記録媒体に記録できる。多くの録画装置ではＳＴＢから映像音声信号が入力されたと同時に録画を開始する、いわゆるシンクロ録画機能を有する。外部機器１２がＳＴＢであればユーザがＳＴＢに対して衛星デジタル放送の録画予約を設定し、かつ、録画部４に対してシンクロ録画を設定することにより、録画部４が指定時刻から衛星デジタル放送の録画を始めることができる。よって録画部２が地上アナログ放送の番組を録画しながら録画部４が衛星デジタル放送の番組を録画することができるのでユーザの利便性が向上する。
【００２６】
また、本発明の録画装置では録画部２、録画部４がともにチューナ８から送られる映像音声信号ＳＶ１を記録媒体に記録できる。ただし、録画部２，４がともにチューナ８から送られる映像音声信号ＳＶ１を記録媒体に記録する場合、録画部２と録画部４とで録画される番組は同じである。
【００２７】
チューナ８の選局を制御するため録画部２は信号ＳＣ１をチューナ８に送り、録画部４は信号ＳＣ２をチューナ８に送る。しかし、録画部２が所望のチャネルの番組を録画している際中に録画部４が信号ＳＣ２をチューナ８に送ると、録画部２で録画されている番組の内容が途中で変更される可能性がある。
【００２８】
録画部２および録画部４の各々はユーザにより録画予約の設定がされた場合、バスラインＢＬを介して予約設定情報を自己以外の録画部に送信する。録画部２，４の各々は録画の際、自己以外の録画部の予約設定情報を参照する。たとえば録画部２が録画部４よりも先にチューナ８から送られる映像音声信号を記録媒体に記録している場合、録画部４はチューナ８からの映像音声信号を記録媒体に記録する際にはチューナ８に信号ＳＣ２を送信しない。よって録画部２と録画部４とで録画される番組が同じになる。
【００２９】
図２は、図１の録画部２，４の構成の一例を示すブロック図である。図２を参照して、録画部２は制御部２１、記録再生部２２、および記憶部２５を含む。同様に録画部４は制御部３１、記録再生部３２、および記憶部３５を含む。
【００３０】
制御部２１は、たとえばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を含むマイクロコンピュータである。制御部２１は記録再生部２２、および記憶部２５の各々を制御する。また、制御部２１は選択部６Ａに信号ＳＬ１を送り、選択部６Ａに映像音声信号ＳＶ１〜ＳＶ３の中から出力する映像音声信号ＳＩＧ１を選択させる。
【００３１】
記録再生部２２は録画時には入力される映像音声信号ＳＩＧ１を記録媒体（図示せず）に記録する。また記録再生部２２は再生時には記録媒体から映像音声信号ＳＩＧ１を読み出して出力する。図２において映像音声信号ＳＩＧ１はチューナ８から送られる映像音声信号ＳＶ１に等しい。
【００３２】
なお、上述した録画部２の動作において制御部２１，記録再生部２２，選択部６Ａ，信号ＳＬ１，映像音声信号ＳＩＧ１をそれぞれ制御部３１，記録再生部３２，選択部６Ｂ，信号ＳＬ２，映像音声信号ＳＩＧ２に代えたものが録画部４の動作である。
【００３３】
ユーザが録画部２にタイマー予約録画を設定すると、制御部２１は録画部２の予約設定情報であるデータＤ１２を作成する。制御部２１はデータＤ１２を記憶部２５に格納するとともに、制御部３１に対してデータＤ１２を送る。制御部３１はデータＤ１２を記憶部３５に格納する。同様に、ユーザが録画部４にタイマー予約録画を設定すると、制御部３１は録画部４の予約設定情報であるデータＤ２１を作成する。制御部３１はデータＤ２１を記憶部３５に格納するとともに、制御部２１にデータＤ２１を送信する。制御部２１は記憶部２５にデータＤ２１を格納する。
【００３４】
制御部２１は録画を行なう場合には記憶部２５に格納されたデータＤ１２を参照し、現在の時刻がタイマー予約録画の開始時刻になったか否かを判定する。現在時刻がタイマー予約録画の開始時刻であれば制御部２１は信号ＳＬ１を送信し、チューナ８からの映像音声信号ＳＶ１が入力されるように選択部６Ａを制御する。
【００３５】
制御部２１はさらに記憶部２５からデータＤ２１を読出す。制御部２１は録画部２の録画開始時刻よりも先に録画部４がチューナ８から映像音声信号ＳＶ１を受信しているか否かを判定する。録画部２よりも先に録画部４がチューナ８から映像音声信号ＳＶ１を受信していれば制御部２１は信号ＳＣ１を送らない。一方、録画部２よりも後で録画部４が録画を開始する場合には、制御部２１は選局のために信号ＳＣ１をチューナ８に送る。同様に、録画部４も録画開始時刻になるとデータＤ２１を参照し、先に録画部２がチューナ８から映像音声信号ＳＶ１を受信していれば信号ＳＣ２を送信しない。
【００３６】
図３は、図２のデータＤ１２の一例を示す図である。図３を参照して、データＤ１２は領域Ａ〜Ｆを含む。領域ＡにはデータＤ１２の発信元である録画部２を示すＩＤ番号が格納される。領域Ｂには録画部２に入力される映像音声信号の送信元（たとえばチューナ８）の情報が格納される。領域Ｃには領域Ｂに格納される送信元の情報がチューナを示す場合にチャネルの情報が格納される。領域Ｄには予約録画を行なう日が格納される。領域Ｅには予約録画の開始時刻の情報が格納される。領域Ｆには予約録画の終了時刻が格納される。つまり領域Ｅ，Ｆに格納された情報は録画部２の予約録画の時間帯を示す。
【００３７】
なお、データＤ２１の構成はデータＤ１２と同様である。ただしデータＤ２１には領域Ａに録画部４を示すＩＤ番号（たとえば０２）が格納されている点でデータＤ１２と異なる。よってデータＤ２１の構成に関する以後の説明は繰り返さない。
【００３８】
図４は、録画部２がチューナ８からの映像音声信号を記録媒体に記録する際の処理を示すフローチャートである。
【００３９】
図４を参照して録画処理が開始されると、まずステップＳ１では、制御部２１は記憶部２５に格納されたデータＤ１２の領域Ｄ〜Ｆを参照し、現在の時刻がタイマー予約録画の開始時刻になったか否かを判定する。現在時刻が録画開始時刻であれば、制御部２１は映像音声信号ＳＶ１を受けるため、信号ＳＬ１をチューナ８に送信する。
【００４０】
ステップＳ２では、制御部２１は記憶部２５からデータＤ２１を読み出し、先に録画を開始した録画部が存在するか否かを判定する。ステップＳ２において、制御部２１はデータＤ１２の領域ＥおよびデータＤ２１の領域Ｄ〜Ｆに格納された情報を参照し、録画部２の開始時刻が録画部４の予約録画の時間帯の間に含まれているか否かを判定する。
【００４１】
録画部２が録画部４よりも先に録画を開始する場合（ステップＳ２においてＮＯ）、処理はステップＳ４に進む。ステップＳ４では、録画部２は信号ＳＣ１をチューナ８に送信してチューナの選局を制御する。ステップＳ２において、録画部４が録画部２よりも先に録画を開始する場合（ステップＳ２においてＹＥＳ）、処理はステップＳ３に進む。
【００４２】
ステップＳ３では、制御部２１は録画部２の録画処理と同じ時間帯にチューナ８が使用されているか、つまり、録画部４がチューナ８から映像音声信号ＳＶ１を受信しているか否かをデータＤ２１の領域Ｂに格納された情報に基づいて判定する。録画部２が録画部４より先にチューナを使用している場合（ステップＳ３においてＮＯ）、処理は上述するステップＳ４に進む。ステップＳ４では制御部２１は信号ＳＣ１をチューナ８に送信する。録画部４の録画処理の時間帯に録画部２の録画開始時刻が含まれる場合（ステップＳ３においてＹＥＳ）、処理はステップＳ５に進む。ステップＳ５では、制御部２１は信号ＳＣ１を送信しない。ステップＳ５での処理により録画部２は録画部４が選択した放送局の番組と同じ番組を録画する。
【００４３】
ステップＳ４での処理が終了すると処理はステップＳ６に進む。同様にステップＳ５での処理が終了すると処理はステップＳ６に進む。ステップＳ６では映像音声信号が記録媒体に記録される。
【００４４】
なお、録画部４がチューナ８からの映像音声信号を記録媒体に記録する際の処理は図４のフローチャートに示す処理と同様であり、制御部２１を制御部３１とし，記憶部２５を記憶部３５とし、信号ＳＣ１を信号ＳＣ２とすればよい。さらに、ステップＳ１〜Ｓ３においてデータＤ１２をデータＤ２１とし、ステップＳ２，Ｓ３において録画部２を録画部４とし、録画部４を録画部２とすればよい。
【００４５】
以上のように本発明の実施の形態によれば、複数の録画部に対応して設けられる複数の選択部を備えることによって、同時に複数の記録媒体に録画することができる。
【００４６】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【００４７】
【図１】本発明の録画装置の構成の一例を示すブロック図である。
【図２】図１の録画部２，４の構成の一例を示すブロック図である。
【図３】図２のデータＤ１２の一例を示す図である。
【図４】録画部２がチューナ８からの映像音声信号を記録媒体に記録する際の処理を示すフローチャートである。
【図５】従来の複合型録画装置の構成の一例を示すブロック図である。
【符号の説明】
【００４８】
１，１００  録画装置、２，４，１０２，１０４  録画部、６，１０６  入力部、６Ａ，６Ｂ  選択部、８，１０８  チューナ、１０，１１０  出力切換部、１２，１４，１１２，１１４  外部機器、１６  再生装置、２１，３１  制御部、２２，３２  記録再生部、２５，３５  記憶部、Ａ〜Ｆ  領域、ＢＬ  バスライン、Ｄ１２，Ｄ２１  データ、Ｓ１〜Ｓ６  ステップ、Ｔ１，Ｔ２  入力端子。
【図１】
2006324901.tif 000003
【図２】
2006324901.tif 000004
【図３】
2006324901.tif 000005
【図４】
2006324901.tif 000006
【図５】
2006324901.tif 000007